(57)【要約】【課題】冷凍回路における圧縮機の起動を安定化させることができる自動販売機を提供する。【解決手段】本発明の一実施の形態に係る自動販売機１０は、収納庫１１〜１３の内部にそれぞれ設置された庫内蒸発器２１〜２３と、各収納庫の外部に設置された庫外凝縮器３０と、蒸発器２１〜２３と凝縮器３０の間にそれぞれ設置された第１の開閉弁Ｖ１Ａ〜Ｖ１Ｃと、凝縮器３０と蒸発器２１〜２３との間で冷媒を循環させる圧縮機４０と、圧縮機４０の冷媒の吸入側と吐出側との間の圧力差を緩和するための弁機構８０と、第１の開閉弁Ｖ１Ａ〜Ｖ１Ｃ及び弁機構８０の開閉と圧縮機４０の運転を制御する制御ユニット１００とを具備する。弁機構８０を開弁制御することによって、圧縮機４０の吸入側と吐出側の間の圧力差を緩和できるので、圧縮機４０の安定に起動させることが可能となる。【選択図】図１
2009287864.tif 000002
【特許請求の範囲】
【請求項１】
商品を収納する複数の収納庫と、
前記各収納庫の内部にそれぞれ設置された庫内熱交換器と、
前記各収納庫の外部に設置された庫外熱交換器と、
前記各庫内熱交換器と前記庫外熱交換器の間にそれぞれ設置された第１の開閉弁と、
前記庫外熱交換器と前記庫内熱交換器との間で冷媒を循環させる圧縮機と、
前記圧縮機の冷媒の吸入側と吐出側との間の圧力差を緩和するための弁機構と、
前記第１の開閉弁及び前記弁機構の開閉と前記圧縮機の運転を制御する制御ユニットと
を具備する自動販売機。
【請求項２】
請求項１に記載の自動販売機であって、
前記弁機構は、
前記圧縮機と前記庫外熱交換器との間を連絡する第１の管路と、
前記圧縮機と前記各庫内熱交換器との間を連絡する第２の管路と、
前記第１の管路と前記第２の管路との間に接続された第３の管路と、
前記第３の管路に設置された第２の開閉弁とを有する
自動販売機。
【請求項３】
請求項２に記載の自動販売機であって、
前記圧縮機は、前記庫外熱交換器側から前記庫内熱交換器側へ向かう冷媒の循環経路を形成し、
前記制御ユニットは、全ての前記収納庫が所定の庫内冷却温度に達するまでは、前記第２の開閉弁を閉塞する
自動販売機。
【請求項４】
請求項３に記載の自動販売機であって、
前記制御ユニットは、
全ての前記収納庫が前記庫内冷却温度に達したときは、全ての前記第１の開閉弁を閉塞し、かつ、前記圧縮機の運転を停止させ、
何れかの前記収納庫が前記庫内冷却温度を超えたときは、前記圧縮機の運転を再開し、かつ、前記圧縮機の駆動前後にわたる第１の所定時間のみ前記第２の開閉弁を開放する
自動販売機。
【請求項５】
請求項３に記載の自動販売機であって、
前記制御ユニットは、
全ての前記収納庫が前記庫内冷却温度に達したときは、全ての前記第１の開閉弁を閉塞し、かつ、前記圧縮機の運転を停止させ、
何れかの前記収納庫が前記庫内冷却温度を超えたときは、前記圧縮機の駆動直前の第２の所定時間のみ前記第２の開閉弁を開放する
自動販売機。
【発明の詳細な説明】
【技術分野】
【０００１】
本発明は、ビン、缶またはペットボトル入り飲料等の商品を冷却または加温して販売する自動販売機に関する。
【背景技術】
【０００２】
缶飲料等の商品を貯蔵し販売する自動販売機の殆どは、商品を貯蔵する庫内が外部と熱的に絶縁されて所定の温度に冷却または加温されている。特に、最近の自動販売機では、庫内が複数に区画され、年間を通してコールドドリンクを販売する庫や、季節に合わせてコールドドリンク又はホットドリンクを切り替えて販売する庫に分けられたものが多い。
【０００３】
コールドドリンクを販売する庫（冷却室）は、典型的には、庫外に配置された凝縮器と、庫内に配置された蒸発器と、凝縮器側から蒸発器側へ向かう冷媒の循環経路を形成する圧縮機などを有する冷凍回路によって冷却される。そして、複数の冷却室を備えた自動販売機においては、１つの冷凍回路で複数の冷却室を共通に冷却するようにしている。この場合、各冷却室と凝縮器との間に、冷媒の供給配管経路を開閉する電磁弁をそれぞれ設置することで、各冷却室を個別に冷却制御するシステムが一般的である（特許文献１参照）。
【０００４】
上記のような複数の冷却室を有する自動販売機の冷却システムにおいては、何れかの冷却室が予め設定された庫内温度にまで冷却された場合には、その冷却室に対応する電磁弁を閉塞して冷媒の供給を停止し、全ての冷却室が設定庫内温度に冷却された場合には、圧縮機の運転を停止させた後、全ての電磁弁を閉塞するように構成されている。そして、何れかの冷却室が設定庫内温度を超える温度に上昇した場合、圧縮機の運転を再開するとともに、その冷却室に対応する電磁弁を開放して当該冷却室の冷却制御を再開するように構成されている。
【０００５】
【特許文献１】特開２００１−１０４０２９号公報（図１）
【発明の開示】
【発明が解決しようとする課題】
【０００６】
上述のように、従来の自動販売機の冷却システムにおいては、全ての冷却室について冷却要求がなくなると、圧縮機の運転を停止させた後、全ての電磁弁を閉塞するようにしている。このため、圧縮機の吸入側圧力と吐出側圧力との間に大きな差が発生し、圧縮機の運転再開時に圧縮機が安定に起動できないという問題があった。
【０００７】
この問題を解消するために、圧縮機の運転を停止させた後、電磁弁を一定時間開くことにより圧縮機の吸入側と吐出側との間の圧力差をなくし、圧縮機の起動不良の発生を防ぐ方法がある。しかしながら、圧縮機の運転停止後に電磁弁を開くと、凝縮器内の高温冷媒が蒸発器内に流入することで庫内温度の上昇を招いてしまう。このため、冷却運転の頻度が高くなり、電磁弁を閉じたままの状態に比べると消費電力が増加するという新たな問題を引き起こす。
【０００８】
以上のような事情に鑑み、本発明の目的は、冷凍回路における圧縮機の起動を安定化させることができる自動販売機を提供することにある。
【課題を解決するための手段】
【０００９】
本発明の一形態に係る自動販売機は、商品を収納する複数の収納庫と、庫内熱交換器と、庫外熱交換器と、第１の開閉弁と、圧縮機と、弁機構と、制御ユニットとを具備する。
上記庫内熱交換器は、上記各収納庫の内部にそれぞれ設置されている。上記庫外熱交換器は、上記各収納庫の外部に設置されている。上記第１の開閉弁は、上記各庫内熱交換器と上記庫外熱交換器の間にそれぞれ設置されている。上記圧縮機は、上記庫外熱交換器と上記庫内熱交換器との間で冷媒を循環させる。上記弁機構は、上記圧縮機の冷媒の吸入側と吐出側との間の圧力差を緩和するためのものである。上記制御ユニットは、上記第１の開閉弁及び上記弁機構の開閉と上記圧縮機の運転を制御する。
【発明を実施するための最良の形態】
【００１０】
本発明の一実施の形態の自動販売機は、商品を収納する複数の収納庫と、庫内熱交換器と、庫外熱交換器と、第１の開閉弁と、圧縮機と、弁機構と、制御ユニットとを具備する。
【００１１】
「商品」は、典型的には、ビン、缶、ペットボトル等の容器に入った冷却または加温可能な飲料類などが代表的である。これ以外にも、例えば、氷菓子類、冷却または加温可能な食品類なども上記商品に含まれる。
【００１２】
上記複数の収納庫は、全て冷却庫または加温庫として設定されてもよいし、一部は冷却庫として、残りは加温庫としてそれぞれ設定されてもよい。これら収納庫は、相互に断熱的に区画されることで、設定された庫内温度を効率よく維持することが可能となる。
【００１３】
上記庫内熱交換器は、上記各収納庫の内部にそれぞれ設置されている。上記庫外熱交換器は、上記各収納庫の外部に設置されている。上記第１の開閉弁は、上記各庫内熱交換器と上記庫外熱交換器の間にそれぞれ設置されている。上記圧縮機は、上記庫外熱交換器と上記庫内熱交換器との間で冷媒を循環させる。
【００１４】
ここで、上記庫内熱交換器を蒸発器として、上記庫外熱交換器を凝縮器としてそれぞれ構成することができる。この場合、上記圧縮機は、庫外熱交換器側から庫内熱交換器側へ向かう冷媒の循環経路を形成することで、庫内の冷却運転が実現可能となる。
【００１５】
また、上記庫内熱交換器を凝縮器として、上記庫外熱交換器を蒸発器としてそれぞれ構成することも可能である。この場合、上記圧縮機は、庫内熱交換器側から庫外熱交換器側へ向かう冷媒の循環経路を形成することで、庫内の加温運転が実現可能となる。
【００１６】
上記弁機構は、上記圧縮機の冷媒の吸入側と吐出側との間の圧力差を緩和するためのものである。上記制御ユニットは、上記第１の開閉弁及び上記弁機構の開閉と上記圧縮機の運転を制御する。
【００１７】
上記自動販売機においては、圧縮機の吸入側と吐出側との間の圧力差を緩和する弁機構と、その開閉を制御する制御ユニットとを備えている。これにより、弁機構の開弁操作によって圧縮機の吸入側と吐出側との間の圧力差を緩和できるので、圧縮機を安定に起動させることが可能となる。
【００１８】
また、第１の開閉弁を開弁させることなく圧縮機を安定に再起動させることができるので、上記第１の開閉弁の開弁操作に伴う庫内温度の変動を防止できる。これにより、圧縮機の運転頻度が低減し、自動販売機の消費電力の上昇を防ぐことが可能となる。
【００１９】
上記弁機構は、その開弁操作によって圧縮機の吸入側と吐出側の圧力差を緩和できるものであれば、特に構成は限定されない。一例を挙げれば、上記弁機構は、上記圧縮機と上記庫外熱交換器との間を連絡する第１の管路と、上記圧縮機と上記各庫内熱交換器との間を連絡する第２の管路と、上記第１の管路と上記第２の管路との間に接続された第３の管路と、上記第３の管路に設置された第２の開閉弁とを有する構成とすることができる。これにより、簡単な構成で、上記目的を達成することが可能となる。
【００２０】
上記圧縮機が上記庫外熱交換器側から上記庫内熱交換器側へ向かう冷媒の循環経路を形成する冷凍回路を構成する場合、上記制御ユニットは、全ての上記収納庫が所定の庫内冷却温度に達するまでは、上記第２の開閉弁を閉塞する。これにより、上記冷凍回路による収納庫の適正な冷却動作を確保することができる。
【００２１】
上記制御ユニットは、全ての収納庫が上記庫内冷却温度に達したときは、全ての上記第１の開閉弁を閉塞し、かつ、圧縮機の運転を停止させる。この場合、上記制御ユニットは、何れかの収納庫が上記庫内冷却温度を超えたときは、圧縮機の運転を再開し、かつ、圧縮機の駆動前後にわたる第１の所定時間のみ上記第２の開閉弁を開放するように構成することができる。あるいは、上記制御ユニットは、何れかの収納庫が上記庫内冷却温度を超えたときは、圧縮機の駆動直前の第２の所定時間のみ上記第２の開閉弁を開放するようにしてもよい。
これにより、圧縮機の停止直後に存在していた吸入側及び吐出側間の圧力差を緩和して、圧縮機の安定した再起動を実現することが可能となる。
【００２２】
以下、本発明の実施の形態を図面に基づき説明する。
【００２３】
図１は本発明の一実施の形態による自動販売機の冷却システムを示す配管構成図である。
【００２４】
本実施の形態の自動販売機１０は、その本体の内部に、例えばビン、缶、ペットボトル入りのコールド飲料をそれぞれ収納可能な３つの収納庫１１、１２及び１３を備えている。各収納庫１１〜１３は、それぞれ断熱壁で区画された相互に独立の冷却室として構成されている。
【００２５】
本実施の形態では、収納庫１１（第１の収納庫）及び収納庫１２（第２の収納庫）はそれぞれ、冷却及び加温を切り替え可能な冷却／加温室として構成されている。一方、収納庫１３（第３の収納庫）は冷却室として構成されている。各収納庫１１〜１３は後述する冷凍回路によって冷却される。また、収納庫１１、１２の内部にはヒータ７１、７２がそれぞれ設置されており、収納庫１１、１２を加温室として用いる場合には、ヒータ７１、７２を用いて庫内を加温する。
【００２６】
第１の収納庫１１、第２の収納庫１２及び第３の収納庫１３の内部には、冷却用熱交換器としての第１の庫内蒸発器２１、第２の庫内蒸発器２２及び第３の庫内蒸発器２３がそれぞれ設置されている。
【００２７】
各庫内蒸発器２１〜２３の入口側は、キャピラリーチューブ５１、５２、５３、開閉弁Ｖ１Ａ、Ｖ１Ｂ、Ｖ１Ｃ（第１の開閉弁）及び庫外凝縮器３０を介して圧縮機４０の吐出側にそれぞれ接続されている。各庫内蒸発器２１〜２３の出口側は、圧縮機４０の吸入側にそれぞれ接続されている。開閉弁Ｖ１Ａ、Ｖ１Ｂ及びＶ１Ｃは、電磁切替弁で構成されており、これらの開閉操作は制御ユニット１００によってそれぞれ個別に制御される。
【００２８】
圧縮機４０は、庫外凝縮器３０側から第１〜第３の庫内蒸発器２１〜２３側へ冷媒を供給することで、第１〜第３の収納庫１１〜１３を冷却する。これら圧縮機４０、庫外凝縮器３０、第１〜第３の庫内蒸発器２１〜２３、キャピラリーチューブ５１〜５３、開閉弁Ｖ１Ａ〜Ｖ１Ｃ等によって、庫内冷却用の冷凍回路（ヒートポンプ回路）が構成されている。なお、キャピラリーチューブ５１〜５３に代えて、例えば電子膨張弁等の他の膨張機構を用いてもよい。
【００２９】
本実施の形態の自動販売機１０は、各収納庫１１〜１３の内部に庫内ファン６１、６２及び６３をそれぞれ備えている。庫内ファン６１〜６３は、庫内蒸発器２１〜２３において冷却された空気を収納庫１１〜１３の全体に循環させるためのものである。また、庫外凝縮器３０の近傍には庫外ファン９０が設置されている。庫外ファン９０は、庫外凝縮器３０における冷媒の液化（凝縮）を促進するためのものである。
【００３０】
また、本実施の形態の自動販売機１０は、圧縮機４０の冷媒の吸入側と吐出側との間の圧力差を緩和するための弁機構８０を備えている。この弁機構８０は、第１の管路Ｐ１と第２の管路Ｐ２の間に接続された第３の管路Ｐ３と、この第３の管路Ｐ３に設置された開閉弁Ｖ２（第２の開閉弁）とによって構成されている。なお、第１の管路Ｐ１は、圧縮機４０と庫外凝縮器３０の間を連絡する管路であり、第２の管路Ｐ２は、圧縮機４０と庫内蒸発器２１〜２３との間を連絡する管路である。
【００３１】
さらに、本実施の形態の自動販売機１０は、制御ユニット１００を備えている。制御ユニット１００は、圧縮機４０の運転と、開閉弁Ｖ１Ａ〜Ｖ１Ｃ及びＶ２の開閉をそれぞれ制御する。また、制御ユニット１００は、庫内ファン６１〜６３、ヒータ７１、７２及び庫外ファン９０をも制御可能に構成されている。
【００３２】
なお、図示せずとも、各収納庫１１〜１３の内部には温度センサが設置されており、これら温度センサの出力は、制御ユニット１００に供給されることで、冷凍回路による各収納庫１１〜１３の冷却運転を制御する。
【００３３】
本実施の形態の自動販売機１０は以上のように構成される。次に、この動作の一例について説明する。ここでは、全収納庫１１〜１３が冷却室として使用される場合について説明する。
【００３４】
全収納庫１１〜１３がそれぞれ冷却室として運転される場合、圧縮機４０から吐出される冷媒は、後述するような状態変化を経て、庫外凝縮器３０、開放状態とされている第１の開閉弁Ｖ１Ａ〜Ｖ１Ｃ、キャピラリーチューブ５１〜５３を介して庫内蒸発器２１〜２３に供給される。このとき、第２の開閉弁Ｖ２は閉塞状態とされる。
【００３５】
圧縮機４０から吐出されたガス冷媒は、庫外凝縮器３０で凝縮された後、キャピラリーチューブ５１〜５３を介して庫内蒸発器２１〜２３へ各々供給される。庫内蒸発器２１〜２３に導入された冷媒は、庫内空気と熱交換して液体から気体へ蒸発する。このとき庫内空気から冷媒の蒸発潜熱に相当する熱量が奪われることによって、庫内が冷却される。庫内蒸発器２１〜２３で気化したガス冷媒は、圧縮機４０に吸い込まれる。
【００３６】
各収納庫１１〜１３の庫内温度は、図示しない温度センサによってモニタリングされる。制御ユニット１００は、予め設定された冷却温度（以下「設定冷却温度」という。）に達した収納庫から対応する開閉弁Ｖ１Ａ〜Ｖ１Ｃを順次閉塞し、当該収納庫の冷却運転を停止する。設定冷却温度は、例えば、３℃〜５℃である。そして、制御ユニット１００は、全ての収納庫１１〜１３が設定冷却温度に達すると、開閉弁Ｖ１Ａ〜Ｖ１Ｃを閉塞し、圧縮機４０の運転を停止させる。
【００３７】
開閉弁Ｖ１Ａ〜Ｖ１Ｃの閉弁制御と圧縮機４０の運転停止制御のタイミングは特に限定されない。すなわち、開閉弁Ｖ１Ａ〜Ｖ１Ｃを閉弁した後、圧縮機４０の運転を停止させてもよいし、圧縮機４０の運転を停止させた後、開閉弁Ｖ１Ａ〜Ｖ１Ｃを閉弁してもよい。
【００３８】
その後、制御ユニット１００は、何れかの収納庫１１〜１３が設定冷却温度を超えて庫内温度が上昇した場合、圧縮機４０を再起動するとともに、対応する開閉弁Ｖ１Ａ〜Ｖ１Ｃを開放して、当該収納庫の冷却運転を再開する。
【００３９】
このとき、本実施の形態の自動販売機１０においては、圧縮機４０の再起動に際して、弁機構８０が開閉制御される。図２（Ａ）、（Ｂ）は、収納庫１１〜１３の庫内温度と、圧縮機４０と、開閉弁Ｖ２のタイミングチャートの一例を示している。制御ユニット１００は、庫内温度が設定冷却温度（ＴＬ）に達すると圧縮機４０の駆動を停止させ、庫内温度が所定の冷却開始温度（ＴＨ）に達すると圧縮機４０の駆動を再開させる。
【００４０】
弁機構８０の開閉弁Ｖ２は、制御ユニット１００によって開閉制御される。図２（Ａ）に示す制御例では、圧縮機４０の駆動前後にわたる第１の所定時間のみ開閉弁Ｖ２を開放する。具体的に、開閉弁Ｖ２は、圧縮機４０の起動前ｔ１の時間に開弁され、圧縮機４０の起動後ｔ２の時間に閉弁される。
【００４１】
開閉弁Ｖ２が開弁されると、管路Ｐ１と管路Ｐ２が管路Ｐ３を介して連絡する。これにより、圧縮機４０の吸込み側（管路Ｐ２側）と圧縮機４０の吐出側（管路Ｐ１側）の間の圧力差が緩和されるので、圧縮機４０を安定に起動させることが可能となる。また、圧縮機４０の起動直前に開閉弁Ｖ２が開弁されるため、バイパス管路Ｐ３を介しての凝縮器３０内の高温冷媒が蒸発器２１〜２３へ逆流入することを抑制し、庫内の温度変動を最小限に抑えることが可能となる。さらに、圧縮機４０が起動してから所定時間経過後に開閉弁Ｖ２を閉弁させるようにしているため、圧縮機４０の吸入側と吐出側の間の圧力差をほぼ完全に消失させた状態で冷媒を吐出、循環させることが可能となる。これにより、圧縮機４０を安定に起動させることができるのみならず、冷凍回路への冷媒の安定供給を実現することが可能となる。
【００４２】
開閉弁Ｖ２の開弁時間ｔ１、ｔ２（第１の所定時間）は特に限定されず、仕様に応じて適宜設定することが可能である。また、時間ｔ１及びｔ２は、それぞれ同一の時間に設定されてもよいし、異なる時間に設定されてもよい。例えば、時間ｔ１及びｔ２は、それぞれ１０秒以内とすることができる。本実施の形態では、時間ｔ１及びｔ２は、２．５秒にそれぞれ設定される。
【００４３】
一方、図２（Ｂ）に示す制御例では、圧縮機４０の駆動直前の第２の所定時間のみ第２の開閉弁Ｖ２を開放する。具体的に、開閉弁Ｖ２は、圧縮機４０の起動前に開き、かつ、圧縮機４０の起動前に閉じられる。この制御例では、圧縮機４０の起動前に開閉弁Ｖ２を開弁し、その開弁時間ｔ３内で圧縮機４０の吸入側と吐出側の間の圧力差を解消する。これにより、圧縮機４０の安定起動を確保しつつ起動後速やかに庫内の冷却動作に移行することが可能となる。
【００４４】
開閉弁Ｖ２の開弁時間ｔ３（第２の所定時間）もまた特に限定されず、仕様に応じて適宜設定することが可能である。例えば、時間ｔ３は１０秒以内とすることができる。本実施の形態では、時間ｔ３は、５秒に設定される。
【００４５】
以上述べたように、本実施の形態の自動販売機１０は、圧縮機の吸入側と吐出側との間の圧力差を緩和する弁機構８０と、その開閉を制御する制御ユニット１００とを備えている。これにより、弁機構８０の開弁操作によって圧縮機４０の吸入側と吐出側との間の圧力差を緩和できるので、圧縮機４０を安定に起動させることが可能となる。
【００４６】
また、第１の開閉弁Ｖ１Ａ〜Ｖ１Ｃを開弁させることなく圧縮機４０を安定に再起動させることができるので、開閉弁Ｖ１Ａ〜Ｖ１Ｃの開弁操作に伴う庫内温度の変動を防止できる。これにより、圧縮機４０の運転頻度が低減し、自動販売機１０の消費電力の上昇を防ぐことが可能となる。
【００４７】
また、本実施の形態の自動販売機１０においては、弁機構８０は、圧縮機４０と庫外凝縮器３０との間を連絡する第１の管路Ｐ１と、圧縮機４０と庫内蒸発器２１〜２３との間を連絡する第２の管路Ｐ２と、第１の管路Ｐ１と第２の管路Ｐ２との間に接続された第３の管路Ｐ３と、第３の管路Ｐ３に設置された第２の開閉弁Ｖ２とによって構成される。これにより、簡単な構成で、圧縮機４０の吸入側と吐出側との間の圧力差の緩和を図ることが可能となる。
【００４８】
また、本実施の形態の自動販売機１０においては、制御ユニット１００は、全ての収納庫１１〜１３が所定の庫内冷却温度ＴＬに達するまでは、第２の開閉弁Ｖ２を閉塞するようにしている。これにより、冷凍回路による収納庫１１〜１３の適正な冷却動作を確保することができる。
【００４９】
図３は、本実施の形態の比較例として示す従来の自動販売機１１０の冷却システムを示している。なお、図において図１と対応する部分については同一の符号を付し、その詳細な説明は省略するものとする。
【００５０】
図３の比較例に係る自動販売機１１０においては、全ての冷却室１１〜１３について冷却要求がなくなったことで、圧縮機４０の運転を停止させ、全ての電磁弁Ｖ１Ａ〜Ｖ１Ｃを閉塞すると、圧縮機４０の吸入側と吐出側との間に大きな圧力差が残留する。このため、圧縮機４０の運転再開時に圧縮機４０が安定に起動できないという問題があった。また、この問題を解消するために、圧縮機４０の運転を停止させた後、電磁弁Ｖ１Ａ〜Ｖ１Ｃを一定時間開くことにより圧縮機４０の吸入側と吐出側との間の圧力差をなくし、圧縮機４０の起動不良の発生を防ぐ方法がある。しかしながら、圧縮機４０の運転停止後に電磁弁Ｖ１Ａ〜Ｖ１Ｃを開くと、凝縮器３０内の高温冷媒が蒸発器２１〜２３内に流入することで庫内温度の上昇を招く。このため、冷却運転の頻度が高くなり、電磁弁Ｖ１Ａ〜Ｖ１Ｃを閉じたままの状態に比べると消費電力が増加するという新たな問題を引き起こす。
【００５１】
本実施の形態によれば、上記の問題をすべて解消でき、庫内温度を上昇させることなく圧縮機４０を安定に起動させることが可能となる。
【００５２】
以上、本発明の実施形態について説明したが、本発明は上述の実施形態にのみ限定されるものではなく、本発明の要旨を逸脱しない範囲内において種々変更を加え得ることは勿論である。
【００５３】
例えば以上の実施の形態では、収納庫１１〜１３の数を３つとしたが、第３の収納庫１３を省略することも可能である。あるいは収納庫を４つ以上配置しても構わない。
【００５４】
また、使用する冷媒の種類については特に言及しなかったが、冷凍サイクルに一般的に使用されている各種冷媒を用いることができる。
【００５５】
さらに、以上の実施の形態では、収納庫１１〜１３を冷却するための冷凍回路に本発明を適用した例について説明したが、これに限られず、収納庫を加温するヒートポンプ回路にも本発明は適用可能である。
【図面の簡単な説明】
【００５６】
【図１】本発明の一実施の形態に係る自動販売機の冷却システムの配管構成図である。
【図２】（Ａ）は本発明の一実施の形態に係る自動販売機における庫内温度の推移と、圧縮機の運転制御と、第２の開閉弁の開閉制御を説明するタイミングチャートであり、（Ｂ）本発明の他の実施の形態に係る自動販売機における同様なタイミングチャートである。
【図３】比較例に係る自動販売機の冷却システムの配管構成図である。
【符号の説明】
【００５７】
１０…自動販売機
１１〜１３…収納庫
２１〜２３…庫内蒸発器
３０…庫内凝縮器
４０…圧縮機
５１〜５３…キャピラリーチューブ
６１〜６３…庫内ファン
７１、７２…ヒータ
８０…弁機構
１００…制御ユニット
Ｐ１…第１の管路
Ｐ２…第２の管路
Ｐ３…第３の管路
Ｖ１Ａ、Ｖ１Ｂ、Ｖ１Ｃ…第１の開閉弁
Ｖ２…第２の開閉弁
【図１】
2009287864.tif 000003
【図２】
2009287864.tif 000004
【図３】
2009287864.tif 000005